(57)【要約】      （修正有）【課題】送排気型の空気清浄システムを１台の装置にまとめたエアー幕発生装置を提供する。【解決手段】下方にエアーを吹き出すことでエアーの幕を形成する吹出口２０と、吹出口の下方にて吹出口と対向し、吹出口が吹き出したエアーを吸い込む吸込口３０と、吹出口および吸込口が連通する通風路４０と、を有し、通風路は、吸込口が吸い込むエアーの少なくとも一部を吹出口に送り込む送風機６０と、通風路を通るエアーを除菌する除菌ユニット７０と、を備えている、エアー幕発生装置１である。【選択図】図２
0003232595.tif 000002
【実用新案登録請求の範囲】
【請求項１】
下方にエアーを吹き出すことでエアーの幕を形成する吹出口と、
前記吹出口の下方にて前記吹出口と対向し、前記吹出口が吹き出したエアーを吸い込む吸込口と、
前記吹出口および前記吸込口が連通する通風路と、を有し、
前記通風路は、
前記吸込口が吸い込むエアーの少なくとも一部を前記吹出口に送り込む送風機と、
前記通風路を通るエアーを除菌する除菌ユニットと、
を備えている、エアー幕発生装置。
【請求項２】
請求項１に記載のエアー幕発生装置であって、
前記通風路は、前記吹出口を、前記吸込口に対して固定する、筒状の構造材を備える、
エアー幕発生装置。
【請求項３】
請求項１又は請求項２に記載のエアー幕発生装置であって、
前記吹出口は、コンバージェント・ノズルを有し、エアーを噴流として吹き出す、
エアー幕発生装置。
【請求項４】
請求項１から請求項３のいずれか一項に記載のエアー幕発生装置であって、
前記吸込口がエアーを吸い込む吸込面は、
前記吹出口の直下に位置する第１吸込面と、
前記第１吸込面を前記幕の面における面外方向で挟む、第２吸込面および第３吸込面と、を有し、
前記吹出口がエアーを吹き出す吹出面は、前記吸込面よりも狭い、
エアー幕発生装置。
【請求項５】
請求項４に記載のエアー幕発生装置であって、
前記第１吸込面は、前記第２吸込面の側又は前記第３吸込面の側の一方に傾くように、前記第１吸込面の傾きを切り替え可能である、
エアー幕発生装置。
【請求項６】
請求項１から請求項５のいずれか一項に記載のエアー幕発生装置であって、
前記通風路は、前記吸込口により吸い込まれたエアーの少なくとも一部を外部に逃がす排気口を、前記吹出口とは別に有する、
エアー幕発生装置。
【請求項７】
請求項６に記載のエアー幕発生装置であって、
前記排気口は、開度調節が可能である、
エアー幕発生装置。
【請求項８】
請求項１から請求項７のいずれか一項に記載のエアー幕発生装置であって、
前記吹出口は、エアーの吹き出しにより、前記幕の幅方向における端部を形成する端吹出口と、前記端部からその幅方向に離間した中間部にて前記幕の中間部を形成する中間吹出口と、を有し、
前記端吹出口には、前記吸込口に向かって延び出される面状部材が付設されている、
エアー幕発生装置。
【請求項９】
請求項１から請求項８のいずれか一項に記載のエアー幕発生装置であって、
前記除菌ユニットは、前記通風路を通るエアーから、粒子状物質をこしとるエアーフィルターを備えている、
エアー幕発生装置。
【請求項１０】
請求項１から請求項９のいずれか一項に記載のエアー幕発生装置であって、
前記除菌ユニットは、前記通風路を通るエアーに殺菌力を有する波長域の光線を照射する殺菌灯を備えている、
エアー幕発生装置。
【請求項１１】
請求項９に記載のエアー幕発生装置であって、
前記除菌ユニットは、前記エアーフィルターに殺菌力を有する波長域の光線を照射する殺菌灯を備えている、
エアー幕発生装置。
【考案の詳細な説明】
【技術分野】
【０００１】
本開示は、エアー幕発生装置に関する。
【背景技術】
【０００２】
昨今の対面販売等における対面作業では、アクリル等の衝立やビニール等の垂れ幕で飛沫を遮断することが一般的である。ただ、使用者は、衝立や垂れ幕に付着した飛沫をアルコール等で頻繁に消毒しなければならない。
【０００３】
また、医療現場では、衝立状の空気清浄ユニットを２台組み合わせた送排気型の空気清浄システムが知られている。例えば、特許文献１には、医師から患者に向けて清浄空気を送出するように自立架台付き空気清浄ユニットを医師の背後に設置するとともに、患者の背後に吸込口を向けた別の自立架台付き空気清浄ユニットを設置する、空気清浄システムが開示されている。これは、医師から患者に向けて清浄空気を送出して患者に清浄な空気を送給するとともに、患者を経由した汚染空気を吸込口から吸入してメインフィルタで無菌化し、外部に送出するものである。これにより、空気感染性の疾患等を患う患者から医師への二次感染を防ぐことができる。
【先行技術文献】
【特許文献】
【０００４】
【特許文献１】特開２０００−３４２９２１号公報
【考案の概要】
【考案が解決しようとする課題】
【０００５】
しかしながら、上記従来技術では、２台の空気清浄ユニットを用意する必要があり、使用者にとって煩雑となりうる。
【０００６】
本開示は、このような点に鑑みて創案されたものであり、本考案が解決しようとする課題は、送排気型の空気清浄システムを１台の装置にまとめたエアー幕発生装置を提供することである。
【課題を解決するための手段】
【０００７】
上記課題を解決するために、本考案のエアー幕発生装置は次の手段をとる。
【０００８】
まず、第１の開示は、下方にエアーを吹き出すことでエアーの幕を形成する吹出口と、前記吹出口の下方にて前記吹出口と対向し、前記吹出口が吹き出したエアーを吸い込む吸込口と、前記吹出口および前記吸込口が連通する通風路と、を有し、前記通風路は、前記吸込口が吸い込むエアーの少なくとも一部を前記吹出口に送り込む送風機と、前記通風路を通るエアーを除菌する除菌ユニットと、を備えている、エアー幕発生装置である。
【０００９】
ここで本開示において、「除菌」とは、対象物に含まれる病原体の数量を減らすことをいう。すなわち、この「除菌」は、例えば、粒子状物質の除去、微生物又はウイルス等への殺菌又は不活化の少なくとも一方、を含む概念である。
【００１０】
また、本開示において、「病原体」とは、健康に対する病的状態を引き起こしうる性質を有するものをいう。すなわち、この「病原体」は、微生物又はウイルス等の感染症の原因となるもののみならず、例えば、アレルギー性疾患の原因となり得るアレルゲン又は塵肺の原因となり得る粉塵等も含む概念である。
【００１１】
第１の開示に係るエアー幕発生装置によれば、本装置は、下方にエアーを吹き出すことでエアーの幕を形成する吹出口と、吹出口が吹き出したエアーを吸い込む吸込口と、を１台の装置にまとめたものである。ここで、吹出口が吹き出すエアーは、送風機が通風路を通して吹出口に送り込むものであり、通風路を通るエアーは除菌ユニットにより除菌されることとなる。そして、吹き出されたエアーが形成するエアーの幕は、飛沫等を遮断する間仕切りとして機能することとなる。吹出口が下方に送り込むエアーは、送風機により吸込口から吸い込まれ、通風路に送り込まれる。そして、通風路を通るエアーは、除菌ユニットにより再び除菌され、少なくとも一部のエアーが吹出口に送り込まれることとなる。これにより、送排気型の空気清浄システムを１台の装置にまとめたエアー幕発生装置を提供することができる。
【００１２】
ここで、第１の開示に係るエアー幕発生装置は、後述する第２の開示に係るエアー幕発生装置であっても良い。この第２の開示に係るエアー幕発生装置においては、前記通風路は、前記吹出口を前記吸込口に対して固定する筒状の構造材を備えるものである。
【００１３】
第２の開示に係るエアー幕発生装置によれば、エアー幕発生装置は、吹出口を吸込口に対して固定する筒状の構造材を通風路として用いている。これにより、エアー幕発生装置に用いる部品点数を減らすことができる。
【００１４】
ここで、第１の開示又は第２の開示に係るエアー幕発生装置は、後述する第３の開示に係るエアー幕発生装置であっても良い。この第３の開示に係るエアー幕発生装置においては、前記吹出口は、コンバージェント・ノズルを有し、エアーを噴流として吹き出すものである。
【００１５】
ここで、コンバージェント・ノズルとは、流出口における流路断面積が、流入口における流路断面積よりも狭いノズルをいう。
【００１６】
第３の開示に係るエアー幕発生装置によれば、吹出口から吹き出されるエアーは、コンバージェント・ノズルにより、噴流として吹き出されやすくなる。これにより、吹出口が吹き出すエアーの風速は速くなり、エアーの幕の遮断性能を向上させることができる。
【００１７】
ここで、第１の開示から第３の開示のいずれか一つに係るエアー幕発生装置は、後述する第４の開示に係るエアー幕発生装置であっても良い。この第４の開示に係るエアー幕発生装置においては、前記吸込口がエアーを吸い込む吸込面は、前記吹出口の直下に位置する第１吸込面と、前記第１吸込面を前記幕の面における面外方向で挟む、第２吸込面および第３吸込面と、を有し、前記吹出口がエアーを吹き出す吹出面は、前記吸込面よりも狭いものである。
【００１８】
ここで、幕の面における面外方向とは、幕の面が広がる方向に対する法線方向のことをいう。
【００１９】
第４の開示に係るエアー幕発生装置によれば、吹き出されたエアーが形成するエアーの幕が、その幕における周囲の空気を巻き込みながら、エアーを下方に送り込むこととなる。ここで、エアーの幕がその幕における周囲の空気を巻き込むのは、流体が流れるときにその流体の周囲の流体を巻き込んで動かすという流体の性質によるためである。そうすると、吸込口に到達するエアーの幕は面外方向に広がることとなるが、吸込口における吸込面は吹出面よりも面外方向において広いため、吸込口における吸い込み漏れを抑えることができる。
【００２０】
ここで、第４の開示に係るエアー幕発生装置は、後述する第５の開示に係るエアー幕発生装置であっても良い。この第５の開示に係るエアー幕発生装置においては、前記第１吸込面は、前記第２吸込面の側又は前記第３吸込面の側の一方に傾くように、前記第１吸込面の傾きを切り替え可能なものである。
【００２１】
第５の開示に係るエアー幕発生装置によれば、第１吸込面を第２吸込面の側又は第３吸込面の側の一方に傾かせることが可能である。これにより、傾かせた一方の側から、より多くのエアーを吸い込むことができる。
【００２２】
ここで、第１の開示から第５の開示のいずれか一つに係るエアー幕発生装置は、後述する第６の開示に係るエアー幕発生装置であっても良い。この第６の開示に係るエアー幕発生装置においては、前記通風路は、前記吸込口により吸い込まれたエアーの少なくとも一部を外部に逃がす排気口を、前記吹出口とは別に有するものである。
【００２３】
本開示に係るエアー幕発生装置によれば、吸込口により吸い込まれるエアーは、エアーの幕となる吹出口が吹き出すエアーだけでなく、エアーの幕に巻き込まれる周囲の空気も含まれる。そして、第６の開示に係るエアー幕発生装置によれば、吸込口により吸い込まれるエアーの少なくとも一部が、吹出口とは別の排気口から外部に逃げるため、その分、通風路内における圧力が低下することとなる。これにより、吸込口に吸い込まれる、上記周囲の空気の量を多くすることができる。
【００２４】
ここで、第６の開示に係るエアー幕発生装置は、後述する第７の開示に係るエアー幕発生装置であっても良い。この第７の開示に係るエアー幕発生装置においては、前記排気口は、開度調節が可能である。
【００２５】
第７の開示に係るエアー幕発生装置によれば、排気口の開度を調節することで、排気口から排出されるエアーを調整することができる。これにより、通風路内における圧力をより低くして、吸込口に吸い込まれる、上記周囲の空気の量をより多くすることができる。
【００２６】
ここで、第１の開示から第７の開示のいずれか一つに係るエアー幕発生装置は、後述する第８の開示に係るエアー幕発生装置であっても良い。この第８の開示に係るエアー幕発生装置においては、前記吹出口は、エアーの吹き出しにより、前記幕の幅方向における端部を形成する端吹出口と、前記端部からその幅方向に離間した中間部にて前記幕の中間部を形成する中間吹出口と、を有し、前記端吹出口には、前記吸込口に向かって延び出される面状部材が付設されているものである。
【００２７】
第８の開示に係るエアー幕発生装置によれば、端吹出口が吹き出すエアーは、下方に延び出される面状部材に引き寄せられる。これは、面状部材近傍を流れるエアーが自身の粘性により壁面に引き寄せられるコアンダ効果によるものである。これにより、端吹出口が吹き出すエアーは、その流れを面状部材によって吸込口に向かうように向き付けされ、吸込口に到達しやすくすることができる。
【００２８】
また、幕の端部を形成するエアーが幕の中間部を形成するエアーより風速が遅くなっても、幕の幅方向と交差する方向における、端部の長さが中間部の長さより短いため、端部の周囲から巻き込む空気は少なくなる。これにより、吸込口において、幕の面外方向に広がるエアーの広がりのムラをより少なくすることができる。
【００２９】
ここで、第１の開示から第８の開示のいずれか一つに係るエアー幕発生装置は、後述する第９の開示に係るエアー幕発生装置であっても良い。この第９の開示に係るエアー幕発生装置においては、前記除菌ユニットは、前記通風路を通るエアーから、粒子状物質をこしとるエアーフィルターを備えているものである。
【００３０】
第９の開示に係るエアー幕発生装置によれば、通風路を通るエアーに粒子状物質が含まれていた場合に、エアーフィルターでその粒子状物質をこしとって除去することとなる。これにより、粒子状物質が病原体を含みうる微粒子である場合、吹出口が吹き出すエアーは、除菌された状態とすることができる。
【００３１】
ここで、第１の開示から第９の開示のいずれか一つに係るエアー幕発生装置は、後述する第１０の開示に係るエアー幕発生装置であっても良い。この第１０の開示に係るエアー幕発生装置においては、前記除菌ユニットは、前記通風路を通るエアーに殺菌力を有する波長域の光線を照射する殺菌灯を備えているものである。
【００３２】
第１０の開示に係るエアー幕発生装置によれば、通風路を通るエアーに微生物等が含まれていた場合に、殺菌灯でその微生物等を殺菌等することとなる。これにより、吹出口が吹き出すエアーは、除菌された状態とすることができる。
【００３３】
ここで、第９の開示に係るエアー幕発生装置は、後述する第１１の開示に係るエアー幕発生装置であっても良い。この第１１の開示に係るエアー幕発生装置においては、前記除菌ユニットが、前記エアーフィルターに殺菌力を有する波長域の光線を照射する殺菌灯を備えているものである。
【００３４】
第１１の開示に係るエアー幕発生装置によれば、通風路を通るエアーに微生物等が付着した粒子状物質が含まれていた場合、殺菌灯でその微生物等を殺菌等することとなる。そして、この粒子状物質は、エアーフィルターでこしとられ、残渣としてエアーフィルター上に残存する。そうすると、殺菌灯がその粒子状物質に光線を照射する時間はエアーフィルターを設けない場合に比べて長くなり、より多くの微生物等が殺菌等されることとなる。これにより、吹出口が吹き出すエアーは、より除菌された状態とすることができる。
【００３５】
本開示は、上記の構成をもつことにより、送排気型の空気清浄システムを１台の装置にまとめたエアー幕発生装置を提供することができる。
【図面の簡単な説明】
【００３６】
【図１】第１の実施形態に係るエアー幕発生装置の斜視図である。
【図２】第１の実施形態に係るエアー幕発生装置の正面図である。
【図３】第１の実施形態に係るエアー幕発生装置の右側面図である。
【考案を実施するための形態】
【００３７】
＜第１の実施形態＞
本考案の第１の実施形態に係るエアー幕発生装置１の詳細を以下に図面を用いて説明する。ここで、エアー幕発生装置１は、図１に示すように、その底面側に四角形の底板２を有し、底板２の四隅には、キャスター１０がそれぞれ備えられている。そして、各キャスター１０は、エアー幕発生装置１を自由に動かすことが可能なものである。
【００３８】
＜キャスターの構成＞
各キャスター１０は、それぞれ、床の上を転がる車輪１１と、車輪１１をその中心において固定する車軸（図示せず）と、車軸をその周方向で回動可能な状態に保持するフォーク（図示せず）と、で構成されている。
【００３９】
＜キャスターの詳細＞
ここで、フォーク（図示せず）には、車軸（図示せず）の軸方向を変えられるようにする旋回部（図示せず）と、車輪１１に押し当ててその回動を抑制するストッパー１２と、が備えられている。これにより、各キャスター１０は、床の上を自由に動くことができる。また、旋回部は、底板２に取り付け可能な取付座（図示せず）を備え、底板２の四隅に取り付けられることとなる。これにより、各キャスター１０は、底板２の四隅からエアー幕発生装置１を支持することとなる。
【００４０】
＜第１の実施形態に係るエアー幕発生装置の構成＞
本考案の第１の実施形態に係るエアー幕発生装置１は、例えば、相対する対面者達（図示せず）の間に設置して使用するものである。具体的には、エアー幕発生装置１を相対する対面者達の間に設置し、エアー幕発生装置１の吹出口２０からエアーの幕１００を発生させている。これにより、エアーの幕１００は、相対する対面者達からの飛沫を遮断する間仕切りとして機能することができる。
【００４１】
＜エアー幕発生装置の構成＞
エアー幕発生装置１は、図２に示すように、下方にエアーを吹き出すことでエアーの幕１００を形成する吹出口２０と、吹出口２０の下方にて吹出口２０と対向し、吹出口２０が吹き出したエアーを吸い込む吸込口３０と、吹出口２０および吸込口３０が連通する通風路４０と、を有したものである。以下に吹出口２０と、吸込口３０と、通風路４０と、を説明する。
【００４２】
＜吹出口の構成＞
吹出口２０は、エアーの幕１００の幅方向に延びた中空状の構造物であり、その幅方向において端側にあるサイド部２２は、後述する通風路４０のダクト部８０と繋がっている。そして、吹出口２０の下方には、後述する吸込口３０に向けてエアーを吹き出すノズル２３が設けられている。ここで、ノズル２３は、図３に示すように、コンバージェント・ノズル２４であり、エアーを噴流として吹き出すように、形状が適宜設定されている。
【００４３】
ここで、コンバージェント・ノズル２４は、流出口２５の幅が流入口２６の幅より狭くされ、もって流体の流路断面積を狭くするものである。そうすると、吹出口２０から吹き出されるエアーが、噴流として吹き出されやすいものとなる。
【００４４】
＜吹出口の詳細＞
また、吹出口２０は、図２に示すように、エアーの吹き出しにより、エアーの幕１００の幅方向における端部１０７を形成する端吹出口２７と、端部１０７からその幅方向に離間した中間部１０８にてエアーの幕１００の中間部１０８を形成する中間吹出口２８と、を有している。端吹出口２７には、図３に示すように、吸込口３０に向かって延び出される２枚の面状部材２９がそれぞれ面を対向して付設されている。ここで、２枚の面状部材２９が付設することで形成される隙間１０２は、隙間１０２を流れるエアーが吸込口３０に向かって流れるように向き付けするのに十分なスペースとなっている。これにより、端吹出口２７が吹き出すエアーは、２枚の面状部材２９の間における隙間１０２を通り、この隙間１０２を抜けてから吸込口３０に到達することとなる。そして、面状部材２９は、図２に示すように、幕１００の端部１０７を形成するエアーが幕１００の中間部１０８を形成するエアーより風速が遅くなっても、吸込口３０において、幕の面１０１（図３参照）における面外方向に広がるエアーの広がり１０３（図３参照）のムラがより少なくなるように、延び出されている。
【００４５】
ここで、図３に示すように、幕の面１０１における面外方向とは、幕の面１０１が広がる方向に対する法線方向（図３から見て左右方向）のことをいう。
【００４６】
＜吸込口の構成＞
吸込口３０は、図２に示すように、エアーの幕１００の幅方向に延びた中空状の構造物であり、吹出口２０の側の反対側では、後述する通風路４０と繋がっている。そして、吸込口３０は、吹出口２０の側に、エアーを吸い込む吸込面３１が設けられている。ここで、吸込面３１は、図３に示すように、吹出口２０の直下に位置する第１吸込面３２と、第１吸込面３２を幕の面１０１における面外方向で挟む、第２吸込面３３および第３吸込面３４と、を有し、吸込面３１は、吹出口２０がエアーを吹き出す吹出面２１よりも広いものとなっている。本実施形態においては、吸込口３０は、その上面が、人が立った状態でそのひじを載せることができる高さとなるように位置されている。
【００４７】
＜吸込口の詳細＞
また、吸込面３１には、虫や大きな埃等をこしとる第１フィルター３５が吸込面３１を外側（図３で見て上側）から覆うように取り付けられている。そして、吸込面３１における第１吸込面３２は、図３に示すように、第２吸込面３３の側又は第３吸込面３４の側の一方に傾くように、第１吸込面３２の傾きを切り替え可能とするように取り付けられるものである。ここで、第１フィルター３５には、本実施形態では、虫や大きな埃等をこしとるサランネットフィルターが用いられている。また、吸込面３１は、第１フィルター３５の上に被せる格子状の板となる格子板（図示せず）を備えても良い。
【００４８】
＜通風路の構成＞
通風路４０は、図２に示すように、吹出口２０および吸込口３０を連通する構造であり、吸込口３０が吸い込んだエアーを送るとともにそのエアーを除菌する本体部５０と、本体部５０で除菌されたエアーを吹出口２０まで通すダクト部８０と、を有している。以下に本体部５０と、ダクト部８０と、を説明する。
【００４９】
なお、ここでいう「除菌」とは、対象物に含まれる病原体の数量を減らすことをいう。すなわち、この「除菌」は、例えば、粒子状物質の除去、微生物又はウイルス等への殺菌又は不活化の少なくとも一方、を含む概念である。
【００５０】
また、「病原体」とは、健康に対する病的状態を引き起こしうる性質を有するものをいう。すなわち、この「病原体」は、微生物又はウイルス等の感染症の原因となるもののみならず、例えば、アレルギー性疾患の原因となり得るアレルゲン又は塵肺の原因となり得る粉塵等も含む概念である。
【００５１】
＜本体部の構成＞
本体部５０には、吸込口３０が吸い込むエアーの少なくとも一部をダクト部８０に送る送風機６０と、吸込口３０が吸い込むエアーを除菌する除菌ユニット７０と、が備え付けられている。そして、本体部５０には、送風機６０および除菌ユニット７０を保守管理するのに十分な大きさとなる点検扉５４（図１参照）が、エアー幕発生装置１の背面側に設けられている。
【００５２】
＜本体部の詳細＞
また、本体部５０の内側には、後述する第２フィルター７１が取り付けられる第１通風口付板５１と、２台の送風機６０および後述する２つの殺菌灯７３が取り付けられる第２通風口付板５２と、後述する２つの第３フィルター７２が取り付けられる第３通風口付板５３と、が設けられている。これらは、第２フィルター７１、送風機６０、殺菌灯７３および第３フィルター７２を本体部５０内に固定するとともに、第２フィルター７１、送風機６０および第３フィルター７２にエアーを流すものである。また、本体部５０は、その底面側に底板２があり、底板２はエアー幕発生装置１の底板２と共通している。底板２には、吸込口３０により吸い込まれたエアーの少なくとも一部を外部３に逃がす排気口５５が、吹出口２０とは別に設けられている。ここで、排気口５５には、開度調節が可能となるスライド板５６が備え付けられている。さらに、本体部５０には、第３通風口付板５３と、底板２と、を繋ぐ構造材として、側面壁５７を有し、この側面壁５７には、ダクト部８０に連通する連通口５８が設けられている。
【００５３】
＜送風機の構成＞
ここで、送風機６０は、エアーを送風する羽根車６１と、羽根車６１の中心を固定する回転軸（図示せず）と、その回転軸を周方向に回転させるモーター６２と、を備えている。そして、モーター６２が駆動することで、回転軸が周方向に回転し、羽根車６１も回転してエアーを送風することとなる。
【００５４】
＜除菌ユニットの構成＞
ここで、除菌ユニット７０は、エアーから、比較的大きいサイズの粒子状物質をこしとる第２フィルター７１と、比較的小さいサイズの粒子状物質をこしとる第３フィルター７２と、を備えている。これらは、通風路４０を通るエアーから各サイズの粒子状物質をこしとることができるように、第１通風口付板５１および第３通風口付板５３を通るエアーの流路断面を覆うように取り付けられている。ここで、第２フィルター７１には、例えば、比較的大きいサイズの粒子状物―質をこしとる、サイズ径０．５μｍの異物で捕集効率が６０％となるプレフィルターが用いられている。また、第３フィルター７２には、例えば、細かいサイズの粒子状物質をこしとる、サイズ径０．３μｍの異物で捕集効率が９９．９７％となるＨＥＰＡフィルターが用いられている。本実施形態のエアー幕発生装置１では、第２フィルター７１および第３フィルター７２は、通風路４０内のエアーの流れる向きで見て、排気口５５よりも上流側に位置されている。
【００５５】
＜除菌ユニットの詳細＞
また、除菌ユニット７０には、第３フィルター７２に対して殺菌力を有する波長域の光線を照射する殺菌灯７３が備え付けられている。ここで、殺菌灯７３には、例えば、紫外線を放射する光源（本実施形態では、例えば、紫外線ランプ）が用いられている。
【００５６】
＜ダクト部の構成＞
ダクト部８０は、本体部５０で除菌されたエアーを吹出口２０まで通すとともに、吹出口２０を吸込口３０に対して固定する筒状の構造材である。ここで、ダクト部８０は、連通口５８からサイド部２２まで連通するものである。
【００５７】
＜エアー幕発生装置の使用＞
上述した第１の実施形態に係るエアー幕発生装置１を使用する場合、使用者は以下の流れで使用する。
【００５８】
まず、使用者は、図１に示すように、エアー幕発生装置１を、その側方から押したり引いたりすることで、エアー幕発生装置１を支持するキャスター１０の車輪１１を回動させる。これにより、車輪１１が床の上を転がり、エアー幕発生装置１を自由に動かすことができる。
【００５９】
そして、使用者は、エアー幕発生装置１を、相対する対面者達（図示せず）の間に移動させて設置する。ここで、車輪１１は、各キャスター１０に備えられたストッパー１２を当てられることで回動が抑制されることとなる。これにより、エアー幕発生装置１を相対する対面者達の間に設置することができる。
【００６０】
次に、使用者は、図２に示すように、通風路４０の本体部５０にある２台の送風機６０のモーター６２を動かし、回転する羽根車６１でエアーを送風させる。そうすると、外部３の空気（図示省略）は吸込エアー１０６として吸込口３０から吸い込まれ、吸込面３１の第１フィルター３５（図３参照）を通り、第１通風口付板５１の第２フィルター７１を通り、第２通風口付板５２の送風機６０に送られることとなる。また、送風機６０に送られた吸込エアー１０６は、第３通風口付板５３の第３フィルター７２を通り、一部のエアーが吹出エアー１０５として連通口５８を通じてダクト部８０や、その先にある吹出口２０に送られ、もう一部のエアーが排出エアー１０４として排気口５５を通じて外部３に送られることとなる。
【００６１】
ここで、通風路４０を通る吸込エアー１０６に粒子状物質（図示省略）が含まれていた場合、第２フィルター７１および第３フィルター７２は、その粒子状物質をこしとって除去することとなる。これにより、粒子状物質が病原体を含みうる微粒子である場合、吹出口２０が吹き出す吹出エアー１０５は、除菌された状態とすることができる。また、排気口５５を通じて外部３に排出される排出エアー１０４も、除菌された状態とすることができる。
【００６２】
ここで、通風路４０を通る吸込エアー１０６に微生物等が付着した粒子状物質（図示省略）が含まれていた場合、殺菌灯７３でその微生物等を殺菌等することとなる。そして、この粒子状物質は、第３フィルター７２でこしとられ、残渣として第３フィルター７２上に残存する。そうすると、殺菌灯７３がこの粒子状物質に光線を照射する時間は第３フィルター７２を設けない場合に比べて長くなり、より多くの微生物等が殺菌等されることとなる。これにより、吹出口２０が吹き出す吹出エアー１０５および外部３に排出される排出エアー１０４は、より除菌された状態とすることができる。
【００６３】
ダクト部８０を通じて吹出口２０に送られる吹出エアー１０５は、吹出口２０のノズル２３から吸込口３０に向けて吹き出される。そうすると、吹出口２０および吸込口３０の間に挟まれるエアーの幕１００が形成される。これにより、このエアーの幕１００は、相対する対面者達（図示せず）からの飛沫等を遮断する間仕切りとして機能することができる。
【００６４】
ここで、吹出口２０のノズル２３がコンバージェント・ノズル２４（図３参照）であることから、吹出口２０が吹き出す吹出エアー１０５は、噴流として吹き出されやすくなっている。これにより、吹出口２０が吹き出す吹出エアー１０５の風速が速くなり、エアーの幕１００の遮断性能を向上させることができる。
【００６５】
また、エアーの幕１００の幅方向における端部１０７を形成する端吹出口２７が吹き出す吹出エアー１０５は、下方に延び出される面状部材２９に引き寄せられる。これは、面状部材２９近傍を流れる吹出エアー１０５が自身の粘性により面状部材２９の壁面に引き寄せられるコアンダ効果によるものである。これにより、端吹出口２７が吹き出す吹出エアー１０５は、２枚の面状部材２９の間における隙間１０２を通り、この隙間１０２を抜ける際に、その流れを面状部材２９によって吸込口３０に向かうように向き付けされ、吸込口３０に到達しやすくすることができる。
【００６６】
また、幕１００の端部１０７を形成する吹出エアー１０５が幕１００の中間部１０８を形成する吹出エアー１０５より風速が遅くなっても、幕１００の幅方向と交差する方向における、端部の長さ１０７Ａが中間部の長さ１０８Ａより短いため、端部１０７から巻き込む周囲の空気１０９が少なくなる。これにより、吸込口３０において、幕の面１０１（図３参照）における面外方向に広がるエアーの広がり１０３（図３参照）のムラをより少なくすることができる。
【００６７】
吹出エアー１０５が形成するエアーの幕１００は、図３に示すように、その幕１００における周囲の空気１０９を巻き込みながら、吹出エアー１０５を下方に送り込むこととなる。ここで、エアーの幕１００がその幕１００における周囲の空気１０９を巻き込むのは、流体が流れるときにその流体の周囲の流体を巻き込んで動かすという流体の性質によるためである。そうすると、吸込口３０に到達するエアーの幕１００は面外方向に広がることとなる。
【００６８】
ここで、吸込口３０における吸込面３１は、吹出面２１よりも面外方向において広くなっている。これにより、エアーの幕１００の面外方向における広がり１０３に対し、吸込口３０は吸込面３１における吸い込み漏れを抑えることができる。
【００６９】
また、吸込面３１の第１吸込面３２を第２吸込面３３の側又は第３吸込面３４の側の一方に傾かせることが可能である。これにより、傾かせた一方の側から、より多くのエアーを吸い込むことができる。
【００７０】
このことから、吸込口３０により吸い込まれる吸込エアー１０６は、エアーの幕１００となる吹出口２０が吹き出す吹出エアー１０５だけでなく、エアーの幕１００に巻き込まれる周囲の空気１０９も含まれる。そして、図２に示すように、吸込口３０により吸い込まれる吸込エアー１０６の少なくとも一部が、吹出口２０とは別の排気口５５から外部３に逃げることとなる。これにより、ダクト部８０におけるエアーが吹出口２０が吹き出す吹出エアー１０５より多くなることをさけ、送風機６０のエアーを吸い込む効率が低下することをさけることができる。
【００７１】
また、第３フィルター７２の目詰まりや送風機６０の設定レベルの変更により、送風されるエアーが変化した場合、スライド板５６をスライドして排気口５５の開度を調節することで、排気口５５から排出される排出エアー１０４を調整することができる。これにより、ダクト部８０におけるエアーが吹出口２０が吹き出す吹出エアー１０５より多くなることをよりさけやすくし、送風機６０のエアーを吸い込む効率が低下することをさけることができる。
【００７２】
以上より、エアー幕発生装置１は、下方に吹出エアー１０５を吹き出すことでエアーの幕１００を形成する吹出口２０と、吹出口２０が吹き出した吹出エアー１０５を吸い込む吸込口３０と、を１台の装置にまとめたものである。これにより、送排気型の空気清浄システムを１台の装置にまとめたエアー幕発生装置１を提供することができる。
【００７３】
また、エアー幕発生装置１は、吹出口２０を吸込口３０に対して固定する筒状の構造材を、ダクト部８０として用いている。これにより、エアー幕発生装置１に用いる部品点数を減らすことができる。
【００７４】
＜エアー幕発生装置の保守管理＞
また、使用者は、図１に示すように、エアー幕発生装置１の背面側に設けられている点検扉５４から送風機６０（図２参照）および除菌ユニット７０（図２参照）を定期的に保守管理することができる。例えば、使用者は、送風機６０における羽根車６１に油をさしたり、除菌ユニット７０における第３フィルター７２（図２参照）および殺菌灯７３（図２参照）を交換したりすることができる。
【００７５】
＜作用・効果＞
【００７６】
上述したエアー幕発生装置１によれば、エアー幕発生装置１は、下方にエアーを吹き出すことでエアーの幕を形成する吹出口２０と、吹出口２０が吹き出したエアーを吸い込む吸込口３０と、を１台の装置にまとめたものである。ここで、吹出口２０が吹き出すエアーは、送風機６０が通風路４０を通して吹出口２０に送り込むものであり、通風路４０を通るエアーは除菌ユニット７０により除菌されることとなる。そして、吹き出されたエアーが形成するエアーの幕１００は、飛沫等を遮断する間仕切りとして機能することとなる。吹出口２０が下方に送り込むエアーは、送風機６０により吸込口３０から吸い込まれ、通風路４０に送り込まれる。そして、通風路４０を通るエアーは、除菌ユニットにより再び除菌され、少なくとも一部のエアーが吹出口２０に送り込まれることとなる。これにより、送排気型の空気清浄システムを１台の装置にまとめたエアー幕発生装置１を提供することができる。
【００７７】
上述したエアー幕発生装置１によれば、吹出口２０を吸込口３０に対して固定する筒状の構造材を、通風路４０として用いている。これにより、エアー幕発生装置１に用いる部品点数を減らすことができる。
【００７８】
上述したエアー幕発生装置１によれば、吹出口２０から吹き出されるエアーは、コンバージェント・ノズル２４により、噴流として吹き出されやすくなる。これにより、吹出口２０が吹き出すエアーの風速は速くなり、エアーの幕１００の遮断性能を向上することができる。
【００７９】
上述したエアー幕発生装置１によれば、吹き出されたエアーが形成するエアーの幕１００が、その幕１００における周囲の空気１０９を巻き込みながら、エアーを下方に送り込むこととなる。ここで、エアーの幕１００がその幕１００における周囲の空気１０９を巻き込むのは、流体が流れるときにその流体の周囲の流体を巻き込んで動かすという流体の性質によるためである。そうすると、吸込口３０に到達するエアーの幕１００は面外方向に広がることとなるが、吸込口３０における吸込面３１は吹出面２１よりも面外方向において広いため、吸込口３０における吸い込み漏れを抑えることができる。
【００８０】
上述したエアー幕発生装置１によれば、第１吸込面３２を第２吸込面３３の側又は第３吸込面３４の側の一方に傾かせることが可能である。これにより、傾かせた一方の側から、より多くのエアーを吸い込むことができる。
【００８１】
上述したエアー幕発生装置１によれば、吸込口３０により吸い込まれるエアーは、エアーの幕１００となる吹出口２０が吹き出すエアーだけでなく、エアーの幕１００に巻き込まれる周囲の空気１０９も含まれる。そして、吸込口３０により吸い込まれるエアーの少なくとも一部が、吹出口２０とは別の排気口５５から外部３に逃げるため、その分、通風路４０内における圧力が低下することとなる。これにより、吸込口３０に吸い込まれる、上記周囲の空気１０９の量を多くすることができる。
【００８２】
上述したエアー幕発生装置１によれば、吸込口３０により吸い込まれるエアーは、エアーの幕１００となる吹出口２０が吹き出すエアーだけでなく、エアーの幕１００に巻き込まれる周囲の空気１０９も含まれる。そして、吸込口３０により吸い込まれるエアーの少なくとも一部が、吹出口２０とは別の排気口５５から外部３に逃げることとなる。これにより、通風路４０におけるエアーが吹出口２０が吹き出すエアーより多くなることをさけ、送風機６０のエアーを吸い込む効率が低下することをさけることができる。
【００８３】
上述したエアー幕発生装置１によれば、排気口５５の開度を調節することで、排気口５５から排出されるエアーを調整することができる。これにより、通風路４０内における圧力をより低くして、吸込口３０に吸い込まれる、上記周囲の空気１０９の量をより多くすることができる。
【００８４】
上述したエアー幕発生装置１によれば、排気口５５の開度を調節することで、排気口５５から排出されるエアーを調整することができる。これにより、通風路４０におけるエアーが吹出口２０が吹き出すエアーより多くなることをよりさけやすくし、送風機６０のエアーを吸い込む効率が低下することをよりさけやすくすることができる。
【００８５】
上述したエアー幕発生装置１によれば、端吹出口２７が吹き出すエアーは、下方に延び出される面状部材２９に引き寄せられる。これは、面状部材２９近傍を流れるエアーが自身の粘性により壁面に引き寄せられるコアンダ効果によるものである。これにより、端吹出口２７が吹き出すエアーは、その流れを面状部材２９によって吸込口３０に向かうように向き付けされ、吸込口３０に到達しやすくすることができる。
【００８６】
また、幕１００の端部１０７を形成するエアーが幕１００の中間部１０８を形成するエアーより風速が遅くなっても、幕１００の幅方向と交差する方向における、端部の長さ１０７Ａが中間部の長さ１０８Ａより短いため、端部１０７から巻き込む周囲の空気１０９が少なくなる。これにより、吸込口３０において、幕の面１０１における面外方向に広がるエアーの広がり１０３のムラをより少なくすることができる。
【００８７】
上述したエアー幕発生装置１によれば、通風路４０を通るエアーに粒子状物質が含まれていた場合に、エアーフィルターでその粒子状物質をこしとって除去することとなる。これにより、粒子状物質が病原体を含みうる微粒子である場合、吹出口２０が吹き出すエアーは、除菌された状態とすることができる。
【００８８】
上述したエアー幕発生装置１によれば、通風路４０を通るエアーに微生物等が含まれていた場合に、殺菌灯７３でその微生物等を殺菌等することとなる。これにより、吹出口２０が吹き出すエアーは、除菌された状態とすることができる。
【００８９】
上述したエアー幕発生装置１によれば、通風路４０を通るエアーに微生物等が付着した粒子状物質が含まれていた場合、殺菌灯７３でその微生物等を殺菌等することとなる。そして、この粒子状物質は、エアーフィルターでこしとられ、残渣としてエアーフィルター上に残存する。そうすると、殺菌灯７３がその粒子状物質に光線を照射する時間はエアーフィルターを設けない場合に比べて長くなり、より多くの微生物等が殺菌等されることとなる。これにより、吹出口２０が吹き出すエアーは、より除菌された状態とすることができる。
【００９０】
上述したエアー幕発生装置１によれば、排気口５５から外部３に逃げる排出エアー１０４は、除菌ユニット７０を通って除菌されることとなる。これにより、空気（図示省略）は、排気口５５から、上述したエアー幕発生装置１の周囲である外部３の空間を通り、吸込口３０を通り再び排気口５５に流れるという循環をもって、空気を清浄することができる。
【００９１】
以上により、上述したエアー幕発生装置１は、上記の各構成をもつことにより、送排気型の空気清浄システムを１台の装置にまとめることができる。
【００９２】
＜変形例＞
本考案は、上述した第１の実施形態で説明した外観、構成に限定されず、本考案の要旨を変更しない範囲で種々の変更、追加、削除が可能である。例えば、以下のような各種の形態を実施することができる。
【００９３】
（１）上述した第１の実施形態の変形例として、エアー幕発生装置であって、端吹出口に付設されている２枚の面状部材は、吸込口に向かって延び出される寸法がそれぞれ異なったものとしても良い。
【００９４】
（２）上述した第１の実施形態の変形例として、エアー幕発生装置であって、端吹出口に付設されている面状部材は、１枚であっても良い。この場合、吹出口が吹き出すエアーは面状部材における一方面および他方面のうちの、いずれか又は両方に沿って流れることとなる。
【００９５】
（３）上述した第１の実施形態の変形例として、エアー幕発生装置であって、ダクト部は、本体部に連通する外筒と、外筒の内形に沿う外形となる内筒と、を有し、本体部側からその内筒の出し入れを可能とするスライド機構が設けられたものであっても良い。係る場合、エアー幕発生装置を使用しないときは、これをコンパクトにすることができる。
【００９６】
（４）上述した第１の実施形態の変形例として、エアー幕発生装置であって、通風路の排気口には、エアーに含まれるオゾンを酸素に分解する触媒フィルターを取り付けても良い。係る場合、殺菌灯が照射する紫外線によりエアーがオゾンを含むこととなったとしても、オゾンを酸素に分解して外部に排出することができる。
【００９７】
（５）上述した第１の実施形態の変形例として、エアー幕発生装置であって、殺菌灯が照射される通風路の内壁には、殺菌力を有する波長域の光線を反射する干渉膜ミラーとして多層膜がコートされても良い。係る場合、通風路の内壁で、殺菌灯の照射する光線が吸収されにくくなり、効率よくエアーに光線を照射することができる。
【００９８】
（６）上述した第１の実施形態の変形例として、エアー幕発生装置であって、本体部に備え付けらえた除菌ユニットには、第２フィルターを設けないものとし、底板には、キャスターを取り付けないものとしても良い。係る場合、エアー幕発生装置の高さを低く設計したものを提供することができ、使用者はエアー幕発生装置を机の上に載せて使用することができる。
【００９９】
（７）本開示にかかるエアー幕発生装置は、その吸込口の上面が、人が立った状態でそのひじを載せることができる高さとなるように位置されているものに限定されない。すなわち、本開示にかかるエアー幕発生装置において、その吸込口は、例えば椅子に腰かけた状態の人がそのひじを載せることができる高さなど、適当に変更することができる。
【符号の説明】
【０１００】
１            エアー幕発生装置
２            底板
３            外部
１０          キャスター
１１          車輪
２０          吹出口
２１          吹出面
２２          サイド部
２３          ノズル
２４          コンバージェント・ノズル
２５          流出口
２６          流入口
２７          端吹出口
２８          中間吹出口
２９          面状部材
３０          吸込口
３１          吸込面
３２          第１吸込面
３３          第２吸込面
３４          第３吸込面
３５          第１フィルター
４０          通風路
５０          本体部
５１          第１通風口付板
５２          第２通風口付板
５３          第３通風口付板
５４          点検扉
５５          排気口
５６          スライド板
５７          側面壁
５８          連通口
６０          送風機
６１          羽根車
６２          モーター
７０          除菌ユニット
７１          第２フィルター
７２          第３フィルター
７３          殺菌灯
８０          ダクト部
１００        幕
１０１        幕の面
１０２        隙間
１０３        エアーの広がり
１０４        排出エアー
１０５        吹出エアー
１０６        吸込エアー
１０７        端部
１０７Ａ      端部の長さ
１０８        中間部
１０８Ａ      中間部の長さ
１０９        周囲の空気
【図１】
0003232595.tif 000003
【図２】
0003232595.tif 000004
【図３】
0003232595.tif 000005